(57)【要約】【課題】  遊技者側やホール側が有利・不利になることなくパチンコ球の転動方向に影響を与える役物を有したパチンコ機を提供すること。【解決手段】  第２種中央役物１では、可動ベルト６が、正面側に向かって下方に傾斜した状態で、且つ、左右の高さが等しい位置に配置されている。さらに、可動ベルト６は、左から右又は右から左に向かって移動している。従って、中央出口５から可動ベルト６に落下したパチンコ球は、可動ベルト６の移動方向である左から右又は右から左の方向を横切って、中央出口５から正面側へ転動する際に、可動ベルト６に落下されるときの速度や回転などに応じて、可動ベルト６上を左から右又は右から左に流されながら可動ベルト６の正面側より無作為に落下する。【選択図】  図１
2005334367.tif 000002
【特許請求の範囲】
【請求項１】
透明板と、
前記透明板に対向して配設された遊技盤と、
前記遊技盤に設けられた中央役物と、
前記中央役物に設けられた可動ベルトと、
前記可動ベルトの一端側の下方で前記遊技盤に配設された第１種始動口と、
前記可動ベルトにパチンコ球を載上させるために前記可動ベルトの上方に配設された載上手段と、を備え、
前記可動ベルトは、一端部の位置と他端部の位置とが略水平状態で配置されるとともに、一端側から他端側に向かって回転すること、を特徴とするパチンコ機。
【請求項２】
透明板と、
前記透明板に対向して配設された遊技盤と、
前記遊技盤に設けられた中央役物と、
前記中央役物に設けられた可動ベルトと、
前記可動ベルトの一端側の下方で前記中央役物に配設された第２種Ｖゾーンと、
前記可動ベルトにパチンコ球を載上させるために前記可動ベルトの上方に配設された載上手段と、を備え、
前記可動ベルトは、一端部の位置と他端部の位置とが略水平状態で配置されるとともに、一端側から他端側に向かって回転すること、を特徴とするパチンコ機。
【請求項３】
請求項１又は請求項２に記載するパチンコ機であって、
前記可動ベルトは、前記透明板に向かって下方に傾斜した状態で配置されたこと、を特徴とするパチンコ機。
【請求項４】
請求項１乃至請求項３のいずれか一つに記載するパチンコ機であって、
前記中央役物に設けられるとともにパチンコ球の転動が可能なワープ通路を備え、
前記ワープ通路の出口を前記載上手段として使用したこと、を特徴とするパチンコ機。
【請求項５】
請求項１乃至請求項４のいずれか一つに記載するパチンコ機であって、
前記中央役物に設けられた可変表示装置を備えたこと、を特徴とするパチンコ機。
【請求項６】
請求項１乃至請求項５のいずれか一つに記載するパチンコ機であって、
前記可動ベルトの下側に形成される空間と前記遊技盤の側とを遮る保護パネルを備えたこと、を特徴とするパチンコ機。
とするパチンコ機。
【請求項７】
請求項１乃至請求項６のいずれか一つに記載するパチンコ機であって、
前記可動ベルトと前記フラット部の隙間がパチンコ球の直径よりも小さいこと、を特徴とするパチンコ機。
【請求項８】
請求項１乃至請求項７のいずれか一つに記載するパチンコ機であって、
前記可動ベルトの上下間がパチンコ球の直径よりも小さいこと、を特徴とするパチンコ機。
【請求項９】
請求項１乃至請求項８のいずれか一つに記載するパチンコ機であって、
前記可動ベルトは、前記ガラス面に対しパチンコ球の直径よりも大きい間隔を確保しつつ、前記遊技盤から突出させたこと、を特徴とするパチンコ機。
【請求項１０】
請求項１乃至請求項９のいずれか一つに記載するパチンコ機であって、
前記可動ベルトの下方の位置で前記遊技盤に配設された遊技釘を備え、
前記可動ベルトと前記ガラス面との間隔をパチンコ球の直径よりも大きくさせたこと、を特徴とするパチンコ機。
【請求項１１】
請求項１乃至請求項１０のいずれか一つに記載するパチンコ機であって、
前記可動ベルトの表面は、摩擦抵抗の高い素材で構成されていること、を特徴とするパチンコ機。
【請求項１２】
請求項１乃至請求項１１のいずれか一つに記載するパチンコ機であって、
前記可動ベルトの表面に形成された複数の凸部を備えたこと、を特徴とするパチンコ機。
【請求項１３】
請求項１乃至請求項１２のいずれか一つに記載するパチンコ機であって、
前記可動ベルトの裏面に付設された磁性体を備えたこと、を特徴とするパチンコ機。
【請求項１４】
請求項１乃至請求項１３のいずれか一つに記載するパチンコ機であって、
前記駆動源の作動を電源投入後に確認する作動確認手段を備えたこと、を特徴とするパチンコ機。
【請求項１５】
請求項１４に記載するパチンコ機であって、
前記作動確認手段を割り込み処理で実行させたこと、を特徴とするパチンコ機。
【発明の詳細な説明】
【技術分野】
【０００１】
本発明は、パチンコ球の転動方向に影響を与えるベルトを有したパチンコ機に関するものである。
【背景技術】
【０００２】
従来のパチンコ機には、例えば、パチンコ球に接触抵抗を付与する抵抗部材として、一対の回転するベルトを設け、一対のベルトの回転速度を制御することで、一対のベルト間に挟まれたパチンコ球の落下速度を任意に設定したり、一対のベルトの回転速度を異なるもので制御することで、一対のベルト間に挟まれたパチンコ球の落下方向を任意に設定したりしている（例えば、特許文献１参照）。
【特許文献１】特開平１０−２７７２１８号公報
【発明の開示】
【発明が解決しようとする課題】
【０００３】
しかしながら、パチンコ球の落下方向を入賞口などの方向に向くように、一対のベルトの回転速度を制御すれば、パチンコ球の入賞率は高くなることから、遊技者側は有利となる一方でホール側は不利となる。その反対に、パチンコ球の落下方向を入賞口などの方向に向かないように、一対のベルトの回転速度を制御すれば、パチンコ球の入賞率は低くなることから、遊技者側は不利となる一方でホール側は有利となる。
【０００４】
そこで、本発明は、上述した点を鑑みてなされたものであり、遊技者側やホール側が有利・不利になることなくパチンコ球の転動方向に影響を与える役物を有したパチンコ機を提供することを課題とする。
【課題を解決するための手段】
【０００５】
この課題を解決するために成された請求項１に係る発明は、パチンコ機であって、透明板と、前記透明板に対向して配設された遊技盤と、前記遊技盤に設けられた中央役物と、前記中央役物に設けられた可動ベルトと、前記可動ベルトの一端側の下方で前記中央役物に配設された第１種始動口と、前記可動ベルトにパチンコ球を載上させるために前記可動ベルトの上方に配設された載上手段と、を備え、前記可動ベルトは、一端部の位置と他端部の位置とが略水平状態で配置されるとともに、一端側から他端側に向かって回転すること、を特徴としている。
【０００６】
また、請求項２に係る発明は、パチンコ機であって、透明板と、前記透明板に対向して配設された遊技盤と、前記遊技盤に設けられた中央役物と、前記中央役物に設けられた可動ベルトと、前記可動ベルトの一端側の下方で前記中央役物に配設された第２種Ｖゾーンと、前記可動ベルトにパチンコ球を載上させるために前記可動ベルトの上方に配設された載上手段と、を備え、前記可動ベルトは、一端部の位置と他端部の位置とが略水平状態で配置されるとともに、一端側から他端側に向かって回転すること、を特徴としている。
【０００７】
また、請求項３に係る発明は、請求項１又は請求項２に記載するパチンコ機であって、前記可動ベルトは、前記透明板に向かって下方に傾斜した状態で配置されたこと、を特徴としている。
【０００８】
また、請求項４に係る発明は、請求項１乃至請求項３のいずれか一つに記載するパチンコ機であって、前記中央役物に設けられるとともにパチンコ球の転動が可能なワープ通路を備え、前記ワープ通路の出口を前記載上手段として使用したこと、を特徴としている。
【０００９】
また、請求項５に係る発明は、請求項１乃至請求項４のいずれか一つに記載するパチンコ機であって、前記中央役物に設けられた可変表示装置を備えたこと、を特徴としている。
【００１０】
また、請求項６に係る発明は、請求項１乃至請求項５のいずれか一つに記載するパチンコ機であって、前記可動ベルトの下側に形成される空間と前記遊技盤の側とを遮る保護パネルを備えたこと、を特徴としている。
【００１１】
また、請求項７に係る発明は、請求項１乃至請求項６のいずれか一つに記載するパチンコ機であって、前記可動ベルトの下側に形成される空間の高さがパチンコ球の直径よりも小さいこと、を特徴としている。
【００１２】
また、請求項８に係る発明は、請求項１乃至請求項７のいずれか一つに記載するパチンコ機であって、前記可動ベルトの上下間がパチンコ球の直径よりも小さいこと、を特徴している。
【００１３】
また、請求項９に係る発明は、請求項１乃至請求項８のいずれか一つに記載するパチンコ機であって、前記可動ベルトは、前記ガラス面に対しパチンコ球の直径よりも大きい間隔を確保しつつ、前記遊技盤から突出させたこと、を特徴としている。
【００１４】
また、請求項１０に係る発明は、請求項１乃至請求項９のいずれか一つに記載するパチンコ機であって、前記可動ベルトの下方の位置で前記遊技盤に配設された遊技釘を備え、前記可動ベルトと前記ガラス面との間隔をパチンコ球の直径よりも大きくさせたこと、を特徴としている。
【００１５】
また、請求項１１に係る発明は、請求項１乃至請求項１０のいずれか一つに記載するパチンコ機であって、前記可動ベルトの表面は、摩擦抵抗の高い素材で構成されていること、を特徴としている。
【００１６】
また、請求項１２に係る発明は、請求項１乃至請求項１１のいずれか一つに記載するパチンコ機であって、前記可動ベルトの表面に形成された複数の凸部を備えたこと、を特徴としている。
【００１７】
また、請求項１３に係る発明は、請求項１乃至請求項１２のいずれか一つに記載するパチンコ機であって、前記可動ベルトの裏面に付設された磁性体を備えたこと、を特徴としている。
【００１８】
また、請求項１４に係る発明は、請求項１乃至請求項１３のいずれか一つに記載するパチンコ機であって、前記駆動源の作動を電源投入後に確認する作動確認手段を備えたこと、を特徴としている。
【００１９】
また、請求項１５に係る発明は、請求項１４に記載するパチンコ機であって、前記作動確認手段を割り込み処理で実行させたこと、を特徴としている。
【発明の効果】
【００２０】
すなわち、本発明のパチンコ機では、可動ベルトが、一端部の位置と他端部の位置とが略水平状態で配置されるとともに、一端側から他端側に向かって回転しており、可動ベルトの上方から可動ベルトに載上されたパチンコ球は、回転中の可動ベルトを転動する際に、可動ベルトに載上されるときの速度や回転などに応じて、可動ベルトから無作為に落下するので、遊技者側やホール側が有利・不利になることなくパチンコ球の転動方向に影響を与えることができる。
【発明を実施するための最良の形態】
【００２１】
以下、本発明の実施の形態を図面を参照にして説明する。
先ず、第１実施の形態のパチンコ機について説明する。
図１は、第２種のパチンコ機の遊技盤の中央に配設される第２種中央役物を示した斜視図である。図１に示すように、第２種中央役物１には、その中央上部付近において、一対の開閉翼２Ａ，２Ｂが軸支されている。また、一対の開閉翼２Ａ，２Ｂの間には、背面に向かって下りに傾斜した受皿３が配設されている。また、受皿３は、第２種中央役物１の背面側に内設されるとともにパチンコ球が流下することが可能な背面通路４に連通している。
【００２２】
また、第２種中央役物１には、その中央奥部付近において、背面通路４に連通するとともにパチンコ球が通過することが可能な中央出口５が形成されている。そして、中央出口５の下方においては、左右の高さが等しい可動ベルト６が設けられている。さらに、可動ベルト５の下方にあっては、第２種Ｖゾーン７が正面の方に突き出された状態で設けられている。
【００２３】
従って、図２に示すように、開閉翼２Ａ，２Ｂが開放されている際に進入したパチンコ球は、受皿３を介して、背面通路４を流下した後、中央出口５から可動ベルト６に落下する。
【００２４】
この点、可動ベルト６は、上述したように、左右の高さが等しく設けられているが、その一方で、第２種中央役物１の奥側から正面に向けて下りに傾斜している。
【００２５】
従って、可動ベルト６に落下したパチンコ球は、その落下した際の転動方向や可動ベルト６の下り傾斜によって、中央出口５から正面側に向けて可動ベルト６上を横切るように転動しようとするが、可動ベルト６の移動方向と交差するため、可動ベルト６の移動方向に流されながら、可動ベルト６の正面側から落下し、第２種Ｖゾーン７又はその周辺に向けて落下することになる。
【００２６】
ここで、図３に第２種中央役物１の筐体１１の三面図（第三角法による正面図・平面図・側面図をあわせて表したもの。以下、同じ。）を示す。また、図４に可動ベルト６の駆動源であるモータ２１の三面図を示し、図５に可動ベルト６の一方のプーリー３１の二面図（第三角法による正面図・側面図をあわせて表したもの。以下、同じ。）を示し、図６に可動ベルト６の他方のプーリー４１の二面図を示し、図７に開閉翼２Ａの三面図を示し、図８に開閉翼２Ｂの三面図を示す。
【００２７】
尚、図３の筐体１１の軸穴１２に対しては、図６の他方のプーリー４１の軸４２が軸支される。また、図３の筐体１１の軸穴１３に対しては、図５の一方のプーリー３１の軸３２が軸支され、さらに、その軸３２に対しては、図４のモーター２１の駆動軸２２が直結される。
【００２８】
また、図１０に、第１実施の形態に係るパチンコ機５１の正面図を示す。図１０に示すように、可動ベルト６の正面にはガラス５３が配置される。また、第１実施の形態に係るパチンコ機５１の遊技盤５２の正面図を図７に示し、当該遊技盤５２の平面図を図８に示し、当該遊技盤５２の側面図を図９に示す。
【００２９】
以上詳細に説明したように、第１実施の形態のパチンコ機５１の第２種中央役物１では、可動ベルト６が、ガラス５３の面に向かって下方に傾斜した状態で、且つ、左右の高さが等しい位置に配置されている。さらに、可動ベルト６は、左から右又は右から左に向かって移動している。従って、中央出口５から可動ベルト６に落下したパチンコ球は、可動ベルト６の移動方向である左から右又は右から左の方向を横切って、中央出口５から正面側へ転動する際に、可動ベルト６に落下されるときの速度や回転などに応じて、可動ベルト６上を左から右又は右から左に流されながら可動ベルト６の正面側より無作為に落下するので、遊技者側やホール側が有利・不利になることなくパチンコ球の転動方向に影響を与えることができる。
【００３０】
次に、第２実施の形態のパチンコ機について説明する。
図１１は、第２実施の形態である第１種のパチンコ機の遊技盤の中央に配設される第１種中央役物を示した斜視図である。図１１に示すように、第１種中央役物１０１には、その正面の左側中央付近において、特別図柄などを表示する液晶表示装置１０２が配設されている。
【００３１】
また、第１種中央役物１０１の上端面の右側付近には、パチンコ球が通過することが可能なワープ入口１０３が形成されている。そして、ワープ入口１０３は、パチンコ球が流下し得るように第１種中央役物１０１が貫通されたワープ通路１０４に連通している。一方、第１種中央役物１０１の正面の右側下部付近には、ワープ通路１０４に連通するとともにパチンコ球が通過することが可能なワープ出口１０５が形成されている。
【００３２】
また、ワープ出口１０５の下方には、左右の高さが等しい可動ベルト１０６が形成されている。さらに、可動ベルト１０６の左端側の下方であって、液晶表示装置１０２の下方中央に向かって下りに傾斜したパチンコ球が流下し得るステージ１０７が形成されている。さらに、ステージ１０７の左端側の下方であって、液晶表示装置１０２の下方中央には、パチンコ球が流下し得る中央通路１０８が形成されている。そして、中央通路１０８は、第１種中央役物１０１の正面の中央下部付近において形成されるとともにパチンコ球が通過することが可能な中央出口１０９に連通している。
【００３３】
従って、ワープ入口１０３に進入したパチンコ球は、ワープ通路１０４を介して、ワープ出口１０５から放出され、可動ベルト１０６上に落下する。
【００３４】
この点、可動ベルト１０６は、上述したように、左右が等しい高さに設けられている。その一方で、可動ベルト１０６の移動方向は、パチンコ球が転動し得る上側のベルトに関しては、中央通路１０８からワープ出口１０５に向かった矢印Ｆである。さらに、可動ベルト１０６は、第１種中央役物１０１の奥側から正面のステージ１０７に向けて下りに傾斜している。
【００３５】
従って、可動ベルト１０６に落下したパチンコ球は、その落下した際の転動方向や可動ベルト１０６の下り傾斜によって、ワープ出口１０５からステージ１０７に向けて可動ベルト１０６上を横切るように転動しようとするが、可動ベルト１０６の移動方向である矢印Ｆと交差するため、可動ベルト１０６の移動方向に流されながら、可動ベルト１０６の正面側から落下し、ステージ１０７又はその右側外に向けて落下することになる。
【００３６】
ここで、図１２に第１種中央役物１０１の筐体１１１の三面図を示す。また、図１３に可動ベルト１０６の駆動源であるモータ１２１の三面図を示し、図１４に可動ベルト１０６の一方のプーリー１３１の二面図を示し、図１５に可動ベルト１０６の他方のプーリー１４１の二面図を示す。
【００３７】
尚、図１２の筐体１１１の軸穴１１３に対しては、図１５の他方のプーリー１４１の軸１４２が軸支される。また、図１２の筐体１１１の軸穴１１２に対しては、図１４の一方のプーリー１３１の軸１３２が軸支され、さらに、その軸１３２に対しては、図１３のモーター１２１の駆動軸１２２が直結される。
【００３８】
また、図１９に、第２実施の形態に係るパチンコ機１５１の正面図を示す。図１９に示すように、可動ベルト１０６の正面にはガラス１５３が配置され、中央通路１０８の下方には第１種始動口１５４が配設されている。従って、中央通路１０８からパチンコ球が落下すると、当該パチンコ球は第１種始動口１５４に向かうことになり、遊技者側にとって有利な状態になる。また、第２実施の形態に係るパチンコ機１５１の遊技盤１５２の正面図を図１６に示し、当該遊技盤１５２の平面図を図１７に示し、当該遊技盤１５２の側面図を図１８に示す。
【００３９】
以上詳細に説明したように、第２実施の形態のパチンコ機１５１の第１種中央役物１０１では、可動ベルト１０６が、ガラス１５３の面に向かって下方に傾斜した状態で、且つ、左右の高さが等しい位置に配置されている。さらに、可動ベルト１０６は、左から右の矢印Ｆの方向に向かって移動している。従って、ワープ出口１０５から可動ベルト１０６に落下したパチンコ球は、可動ベルト１０６の移動方向である左から右の矢印Ｆの方向を横切って、ワープ出口１０５から正面側へ転動する際に、可動ベルト１０６に落下されるときの速度や回転などに応じて、可動ベルト１０６上を左から右の矢印Ｆに流されながら可動ベルト１０６の正面側より無作為に落下するので、遊技者側やホール側が有利・不利になることなくパチンコ球の転動方向に影響を与えることができる。
【００４０】
尚、本発明は上記実施の形態に限定されるものでなく、その趣旨を逸脱しない範囲で様々な変更が可能である。
例えば、第１実施の形態のパチンコ機５１及び、第２実施の形態のパチンコ機１５１において、モーター２１，１２１への供給電圧を測定することによって、可動ベルト６，１０６の作動状況を確認してもよい。そして、この確認動作は、電源投入直後に行ってもよいし、パチンコ遊技処理が所定時間（例えば、０．４秒）毎に行われる割込処理で行ってもよい。
【００４１】
また、第１実施の形態のパチンコ機５１及び、第２実施の形態のパチンコ機１５１において、可動ベルト６，１０６のベルトには、パチンコ球に対する摩擦を確保するために、凹凸をゴムなどで設けてもよいが、その他にも、太糸の織布や、凹凸ができるように立体的に織り込んだもの、不織布などで構成したり、多数の気泡を含んだ発砲ウレタンゴムなどで製作したものを使用してもよい。
この点、可動ベルト６，１０６のベルトの材質としては、ゴム（ポリウレタン、ＮＢＲ、天然ゴム、ＥＰＤＭ、クロロプレンゴム、ＴＰＵ、ネオプレンなど）の単素材や、心体（綿織布、ポリエステル織布、ナイロン織布、アラミド織布、綿不織布など）や心線の上に表面材のゴムを成形したものを使用してもよい。
このようにすれば、可動ベルト６，１０６上を転動するパチンコ球の速度を遅くすることができるし、当該パチンコ球の転動方向に影響を与えることができる。
【００４２】
また、第１実施の形態のパチンコ機５１及び、第２実施の形態のパチンコ機１５１において、可動ベルト６，１０６のベルトに対して、磁性体を貼ったり、埋め込んだり、織り込んだりすれば、当該磁性体の磁力が及んだパチンコ球については、第２種Ｖゾーン７やステージ１０７から遠ざけた位置で、可動ベルト６，１０６の正面側より無作為に落下させることができる。
【００４３】
また、第１実施の形態のパチンコ機５１及び、第２実施の形態のパチンコ機１５１において、可動ベルト６，１０６の左右の高さに差を設けることにより、第２種Ｖゾーン７やステージ１０７から遠ざけた位置でパチンコ球が可動ベルト６，１０６の正面側より落下させる機会を無作為に多くしてもよい。
【００４４】
また、第１実施の形態のパチンコ機５１及び、第２実施の形態のパチンコ機１５１において、可動ベルト６，１０６の正面側に、保護カバーを立設させてもよい。また、この場合には、可動ベルト６，１０６において、上側と下側のベルトの間隔をパチンコ球の直径より小さくし、さらに、パチンコ球が転動できない下側のベルトと筐体１１，１１１の間をも、パチンコ球の直径より小さくする。このようにすれば、可動ベルト６，１０６の周辺でパチンコ球が詰まることが発生しない。
【産業上の利用可能性】
【００４５】
本発明は、パチンコ機の役物として使用される可動ベルトの構成・制御に適用し得る。
【図面の簡単な説明】
【００４６】
【図１】第１実施形態のパチンコ機の第２種中央役物の斜視図である。
【図２】第１実施形態のパチンコ機の第２種中央役物の斜視図である。
【図３】第１実施形態のパチンコ機の第２種中央役物の筐体の三面図である。
【図４】第１実施形態のパチンコ機の第２種中央役物のモーターの三面図である。
【図５】第１実施形態のパチンコ機の第２種中央役物のプーリーの二面図である。
【図６】第１実施形態のパチンコ機の第２種中央役物のプーリーの二面図である。
【図７】第１実施形態のパチンコ機の遊技盤の正面図である。
【図８】第１実施形態のパチンコ機の遊技盤の平面図である。
【図９】第１実施形態のパチンコ機の遊技盤の側面図である。
【図１０】第１実施形態のパチンコ機の正面図である。
【図１１】第２実施形態のパチンコ機の第１種中央役物の斜視図である。
【図１２】第２実施形態のパチンコ機の第１種中央役物の筐体の三面図である。
【図１３】第２実施形態のパチンコ機の第１種中央役物のモーターの三面図である。
【図１４】第２実施形態のパチンコ機の第１種中央役物のプーリーの二面図である。
【図１５】第２実施形態のパチンコ機の第１種中央役物のプーリーの二面図である。
【図１６】第２実施形態のパチンコ機の遊技盤の正面図である。
【図１７】第２実施形態のパチンコ機の遊技盤の平面図である。
【図１８】第２実施形態のパチンコ機の遊技盤の側面図である。
【図１９】第２実施形態のパチンコ機の正面図である。
【符号の説明】
【００４７】
１  中央役物
２Ａ，２Ｂ  開閉翼
３  受皿
４  背面通路
６  可動ベルト
７  第２種Ｖゾーン
２１  モーター
３１  プーリー
３２  プーリー
５１  パチンコ機
５３  ガラス
１０１  中央役物
１０３  ワープ入口
１０４  ワープ通路
１０５  ワープ出口
１０６  可動ベルト
１０７  ステージ
１０８  中央通路
１０９  中央出口
１２１  モーター
１３１  プーリー
１４１  プーリー
１５１  パチンコ機
１５３  ガラス
１５４  第１種始動口
【図１】
2005334367.tif 000003
【図２】
2005334367.tif 000004
【図３】
2005334367.tif 000005
【図４】
2005334367.tif 000006
【図５】
2005334367.tif 000007
【図６】
2005334367.tif 000008
【図７】
2005334367.tif 000009
【図８】
2005334367.tif 000010
【図９】
2005334367.tif 000011
【図１０】
2005334367.tif 000012
【図１１】
2005334367.tif 000013
【図１２】
2005334367.tif 000014
【図１３】
2005334367.tif 000015
【図１４】
2005334367.tif 000016
【図１５】
2005334367.tif 000017
【図１６】
2005334367.tif 000018
【図１７】
2005334367.tif 000019
【図１８】
2005334367.tif 000020
【図１９】
2005334367.tif 000021